(57)【要約】  本発明は、仮想入力装置によりＰＣをリモートコントロールする方法を提供する。当該方法は、モバイル端末デバイスがＰＣ端末にリモートログインしたあと、モバイル端末デバイスにおいて仮想入力装置を起動させる。そして、仮想入力装置で初期化入力ＧＵＩ又はカスタム入力ＧＵＩを選択したあと、入力ＧＵＩ内のキーをクリックし、入力した要求に基づいて当該キーに対応する仮想キーコードを呼び出すことで、対応するコントロールを完了する。また、上記の方法を実行するシステムは、モバイル端末デバイスと仮想入力装置を含み、前記モバイル端末デバイスがＰＣ端末にリモートログインしたあと、モバイル端末デバイスにおいて仮想入力装置を起動させる。前記仮想入力装置で初期化入力ＧＵＩ又はカスタム入力ＧＵＩを選択したあと、入力ＧＵＩ内のキーをクリックし、入力した要求に基づいて当該キーに対応する仮想キーコードを呼び出すことで、対応するコントロールを完了する。本発明によれば、ユーザはモバイル端末デバイスを通じてＰＣのデスクトップにリモートアクセスし、関連の操作を行うことが可能である。また、ユーザが周辺機器を購入する必要もない。
2021517328.tif 000002
【特許請求の範囲】
【請求項１】
仮想入力装置によりＰＣをリモートコントロールする方法であって、
モバイル端末デバイスがＰＣ端末にリモートログインしたあと、モバイル端末において仮想入力装置を起動させるステップ１と、
仮想入力装置で初期化入力ＧＵＩ又はカスタム入力ＧＵＩを選択したあと、入力ＧＵＩ内のキーをクリックし、入力した要求に基づいて当該キーに対応する仮想キーコードを呼び出すことで、対応するコントロールを完了するステップ２とを含む方法。
【請求項２】
ステップ２において、初期化入力ＧＵＩとカスタム入力ＧＵＩの選択は、
仮想入力装置にログインしたあと、入力ＧＵＩ選択画面に進むステップ２ａと、
入力ＧＵＩ選択画面に進んだあと、初期化入力ＧＵＩ又は現在のカスタム入力ＧＵＩを選択するステップであって、初期化入力ＧＵＩの使用を選択する場合にはステップ２ｃに進み、選択しない場合にはステップ２ｄに進むステップ２ｂと、
初期化入力ＧＵＩの使用を選択したあと、初期化入力ＧＵＩ内のキーを使用して、そのままステップ２ｈに進むステップ２ｃと、
初期化入力ＧＵＩに不満な場合、或いは、現在のカスタム入力ＧＵＩに不満な場合には、新たなカスタム入力ＧＵＩを再設定可能であるステップ２ｄと、
新たなカスタム入力ＧＵＩの設定完了後は、現在の操作の放棄を選択し、そのままステップ２ｇに進んでもよく、現在の設定の保存を選択する場合にはステップ２ｆに進むステップ２ｅと、
ユーザが、編集・設定済みのカスタム入力ＧＵＩに名前を付けて保存し、ステップ２ｈに進むステップ２ｆと、
仮想入力装置を終了するステップ２ｇと、
仮想入力装置を使用するステップ２ｈと、
によって実現されることを特徴とする請求項１に記載の仮想入力装置によりＰＣをリモートコントロールする方法。
【請求項３】
ステップ２ｂ及びステップ２ｄにおいて、現在のカスタム入力ＧＵＩと新たなカスタム入力ＧＵＩは、
仮想入力装置の編集画面で複数の所望のキーを選択し、
編集画面において、自身のニーズに基づき所望のキーの名称を設定するとともに、複数の所望のキーと入力ＧＵＩの表示効果とをレイアウトし、
編集済みの複数の所望のキーと入力ＧＵＩの表示効果とを保存することで、仮想入力装置のカスタム入力ＧＵＩを生成する、
とのステップで生成されることを特徴とする請求項２に記載の仮想入力装置によりＰＣをリモートコントロールする方法。
【請求項４】
ステップ２ｅでは、新たなカスタム入力ＧＵＩの設定完了後に、ほかのユーザによる選択、ダウンロード使用、評価、シェア及び編集に供するべく、新たなカスタム入力ＧＵＩをカスタムＧＵＩサーバに送信可能であることを特徴とする請求項３に記載の仮想入力装置によりＰＣをリモートコントロールする方法。
【請求項５】
カスタム入力ＧＵＩにおいて所望のキーについて実施されるレイアウトには、入力ＧＵＩにおける所望のキーの位置、所望のキーのサイズ、所望のキーの色、及び所望のキーの形状等の設定が含まれ、
入力ＧＵＩの表示効果について実施されるレイアウトには、入力ＧＵＩのスタイルの設定が含まれることを特徴とする請求項４に記載の仮想入力装置によりＰＣをリモートコントロールする方法。
【請求項６】
前記カスタム入力ＧＵＩには、物理的キーボード、物理的マウス又は物理的コントローラの少なくとも１つが含まれ、
前記物理的キーボードは、文字キー、ファンクションキー、方向キー及びテンキー等のキーのうち少なくとも１つを含み、
前記物理的マウスは、キー及び／又はスクロールホイールを含み、
前記物理的コントローラは、キー及び／又はジョイスティックを含むことを特徴とする請求項１乃至５のいずれかに記載の仮想入力装置によりＰＣをリモートコントロールする方法。
【請求項７】
請求項１に記載の仮想入力装置によりＰＣをリモートコントロールする方法を実行するシステムであって、
モバイル端末デバイスと仮想入力装置を含み、
前記モバイル端末デバイスがＰＣ端末にリモートログインしたあと、前記モバイル端末デバイスにおいて仮想入力装置を起動させ、
前記仮想入力装置で初期化入力ＧＵＩ又はカスタム入力ＧＵＩを選択したあと、入力ＧＵＩ内のキーをクリックし、入力した要求に基づいて当該キーに対応する仮想キーコードを呼び出すことで、対応するコントロールを完了することを特徴とするシステム。
【請求項８】
前記カスタム入力ＧＵＩには、物理的キーボード、物理的マウス又は物理的コントローラの少なくとも１つが含まれ、
前記物理的キーボードは、文字キー、ファンクションキー、方向キー及びテンキー等のキーのうち少なくとも１つを含み、
前記物理的マウスは、キー及び／又はスクロールホイールを含み、
前記物理的コントローラは、キー及び／又はジョイスティックを含むことを特徴とする請求項７に記載のシステム。
【請求項９】
前記モバイル端末デバイスには、スマートフォン、タブレットＰＣ及びその他のタッチ式スマートモバイルデバイスが含まれることを特徴とする請求項７に記載のシステム。
【請求項１０】
カスタムＧＵＩサーバを更に含み、新たなカスタム入力ＧＵＩの設定完了後に、ほかのユーザによる選択、ダウンロード使用、評価、シェア及び編集に供するべく、仮想入力装置を通じて新たなカスタム入力ＧＵＩをカスタムＧＵＩサーバに送信することを特徴とする請求項７に記載のシステム。
【発明の詳細な説明】
【技術分野】
【０００１】
本発明はＰＣをコントロールする方法に関し、特に、仮想入力装置によりＰＣをリモートコントロールする方法及びシステムに関する。
【背景技術】
【０００２】
科学技術やテクノロジーが進歩を続け、スマートモバイル端末デバイスの普及が進むなかで、各社製の携帯電話、タブレット、ウェアラブルスマートデバイスが続々と登場している。しかし、これらは例外なくソフトウェアキーボード（仮想キーボード）によってユーザによる端末アプリへの情報入力を実現している。ユーザはスマートモバイル端末デバイスのソフトウェアキーボードを用いてキー操作を行うが、各種ソフトウェアキーボードのレイアウトや設計はそれぞれ微妙に異なっており、ソフトウェアによってはソフトウェアキーボードのカスタマイズが可能な場合もある。しかし、こうした数々の技術はいずれもモバイル端末デバイスのアプリを対象として実現されている。これに対し、現在はクラウドコンピューティングの発展に伴って、少数の会社がモバイル端末デバイスを用いたＰＣデスクトップへのリモートアクセスを実現しており、ローカルＰＣを操作するのと同様に、例えば、ＰＣゲーム、ソーシャルソフトウェア、オフィスソフトといったＰＣデスクトップのアプリケーションをモバイル端末デバイスを使って操作可能としている。しかし、現在のところ、このような新たな事業分野の発展に対し、各メーカーは、例えば物理的キーボードやマウス、ゲームコントローラといった周辺機器を用いた入力操作を採用しており、これに対して革新的な方策を打ち出しているメーカーは今のところ存在しない。即ち、モバイル端末デバイスでＰＣのリモートデスクトップにリモートアクセスしてコントロールする際に、仮想入力装置でＰＣ端末をコントロールすることで、周辺機器を必要とせず、時間や場所を選ばずにモバイル端末デバイスとＰＣ端末とのシームレスハンドオーバーを実現可能とするような開発はなされていない。
【発明の概要】
【発明が解決しようとする課題】
【０００３】
上記の課題に存在する瑕疵に対し、本発明は、ユーザがモバイル端末デバイスでＰＣのデスクトップにリモートアクセスして関連のコントロールを実行可能であり、且つ、ユーザが周辺機器を購入する必要のない、時間の節約、費用の節約、時間や場所を選ばずに使用できるとの特性を有する仮想入力装置によりＰＣをリモートコントロールする方法及びシステムを提供する。
【課題を解決するための手段】
【０００４】
上記の目的を実現するために、本発明は、仮想入力装置によりＰＣをリモートコントロールする方法を提供する。当該方法は、以下のステップを含む。
【０００５】
ステップ１：モバイル端末デバイスがＰＣ端末にリモートログインしたあと、モバイル端末デバイスにおいて仮想入力装置を起動させる。
【０００６】
ステップ２：仮想入力装置で初期化入力ＧＵＩ（Ｇｒａｐｈｉｃａｌ  Ｕｓｅｒ  Ｉｎｔｅｒｆａｃｅ）又はカスタム入力ＧＵＩを選択したあと、入力ＧＵＩ内のキーをクリックし、入力した要求に基づいて当該キーに対応する仮想キーコードを呼び出すことで、対応するコントロールを完了する。
【０００７】
上記の仮想入力装置によりＰＣをリモートコントロールする方法において、ステップ２では、以下のステップによって初期化入力ＧＵＩとカスタム入力ＧＵＩの選択を実現する。
【０００８】
ステップ２ａ：仮想入力装置にログインしたあと、入力ＧＵＩ選択画面に進む。
【０００９】
ステップ２ｂ：入力ＧＵＩ選択画面に進んだあと、初期化入力ＧＵＩ又は現在のカスタム入力ＧＵＩを選択する。初期化入力ＧＵＩの使用を選択する場合にはステップ２ｃに進み、選択しない場合にはステップ２ｄに進む。
【００１０】
ステップ２ｃ：初期化入力ＧＵＩの使用を選択したあと、初期化入力ＧＵＩ内のキーを使用して、そのままステップ２ｈに進む。
【００１１】
ステップ２ｄ：初期化入力ＧＵＩに不満な場合、或いは、現在のカスタム入力ＧＵＩに不満な場合には、新たなカスタム入力ＧＵＩを再設定可能である。
【００１２】
ステップ２ｅ：新たなカスタム入力ＧＵＩの設定完了後は、現在の操作の放棄を選択し、そのままステップ２ｇに進んでもよい。一方、現在の設定の保存を選択する場合にはステップ２ｆに進む。
【００１３】
ステップ２ｆ：ユーザは、編集・設定済みのカスタム入力ＧＵＩに名前を付けて保存し、ステップ２ｈに進む。
【００１４】
ステップ２ｇ：仮想入力装置を終了する。
【００１５】
ステップ２ｈ：仮想入力装置を使用する。
【００１６】
上記の仮想入力装置によりＰＣをリモートコントロールする方法において、ステップ２ｄでは、以下のステップにより新たなカスタム入力ＧＵＩを再設定する。
【００１７】
仮想入力装置の編集画面で複数の所望のキーを選択する。
【００１８】
編集画面において、自身のニーズに基づき所望のキーの名称を設定するとともに、複数の所望のキーと入力ＧＵＩの表示効果とをレイアウトする。
【００１９】
編集済みの複数の所望のキーと入力ＧＵＩの表示効果とを保存することで、仮想入力装置のカスタム入力ＧＵＩを生成する。
【００２０】
上記の仮想入力装置によりＰＣをリモートコントロールする方法において、ステップ２ｅでは、新たなカスタム入力ＧＵＩの設定完了後に、ほかのユーザによる選択、ダウンロード使用、評価、シェア及び編集に供するべく、新たなカスタム入力ＧＵＩをカスタムＧＵＩサーバに送信可能である。
【００２１】
上記の仮想入力装置によりＰＣをリモートコントロールする方法において、カスタム入力ＧＵＩにおいて所望のキーについて実施されるレイアウトには、入力ＧＵＩにおける所望のキーの位置、所望のキーのサイズ、所望のキーの色、及び所望のキーの形状等の設定が含まれる。また、入力ＧＵＩの表示効果について実施されるレイアウトには、入力ＧＵＩのスタイルの設定が含まれる。
【００２２】
上記の仮想入力装置によりＰＣをリモートコントロールする方法において、前記カスタム入力ＧＵＩには、物理的キーボード、物理的マウス又は物理的コントローラの少なくとも１つが含まれる。前記物理的キーボードは、文字キー、ファンクションキー、方向キー及びテンキー等のキーのうち少なくとも１つを含む。前記物理的マウスは、キー及び／又はスクロールホイールを含む。前記物理的コントローラは、キー及び／又はジョイスティックを含む。
【００２３】
本発明は、更に、仮想入力装置によりＰＣをリモートコントロールするシステムを提供する。当該システムは、モバイル端末デバイスと仮想入力装置を含む。
【００２４】
前記モバイル端末デバイスがＰＣ端末にリモートログインしたあと、モバイル端末デバイスにおいて仮想入力装置を起動させる。
【００２５】
前記仮想入力装置で初期化入力ＧＵＩ又はカスタム入力ＧＵＩを選択したあと、入力ＧＵＩ内のキーをクリックし、入力した要求に基づいて当該キーに対応する仮想キーコードを呼び出すことで、対応するコントロールを完了する。
【００２６】
上記のシステムにおいて、前記カスタム入力ＧＵＩには、物理的キーボード、物理的マウス又は物理的コントローラの少なくとも１つが含まれる。
【００２７】
前記物理的キーボードは、文字キー、ファンクションキー、方向キー及びテンキー等のキーのうち少なくとも１つを含む。
【００２８】
前記物理的マウスは、キー及び／又はスクロールホイールを含む。
【００２９】
前記物理的コントローラは、キー及び／又はジョイスティックを含む。
【００３０】
上記のシステムにおいて、前記モバイル端末デバイスには、スマートフォン、タブレットＰＣ及びその他のタッチ式スマートモバイルデバイスが含まれる。
【００３１】
上記のシステムにおいて、カスタムＧＵＩサーバを更に含み、新たなカスタム入力ＧＵＩの設定完了後に、ほかのユーザによる選択、ダウンロード使用、評価、シェア及び編集に供するべく、仮想入力装置を通じて新たなカスタム入力ＧＵＩをカスタムＧＵＩサーバに送信する。
【発明の効果】
【００３２】
従来技術と比較して、本発明は以下の利点を有する。
【００３３】
本発明は、従来の仮想入力装置の欠点に鑑みて、ユーザの使用ニーズを解決した。ＰＣ端末の各アプリケーションに必要な入力デバイス、ユーザの個性等の面から検討した結果、ユーザがモバイル端末デバイスを通じてＰＣのデスクトップにリモートアクセスし、関連のコントロールを行えるようにするとともに、ユーザによる周辺機器の購入も不要とした。これにより、時間の節約、費用の節約、時間や場所を選ばずに使用できるとの特性が備わるとともに、ユーザのパーソナライズニーズも達成可能となる。
【図面の簡単な説明】
【００３４】
【図１】図１は、本発明の方法の一部のフローチャートである。
【図２】図２は、本発明において２種類の入力ＧＵＩを選択する際のフローチャートである。
【図３】図３は、本発明において新たなカスタム入力ＧＵＩを再設定する際のフローチャートである。
【図４】図４は、本発明のシステム部分の構造のブロック図である。
【発明を実施するための形態】
【００３５】
図１〜図３に示すように、本発明は、仮想入力装置によりＰＣをリモートコントロールする方法を提供する。当該方法は、以下のステップを含む。
【００３６】
ステップ１：モバイル端末デバイスがＰＣ端末にリモートログインしたあと、モバイル端末デバイスにおいて仮想入力装置を起動させる。
【００３７】
ステップ２：仮想入力装置で初期化入力ＧＵＩ又はカスタム入力ＧＵＩを選択したあと、入力ＧＵＩ内のキーをクリックし、入力した要求に基づいて当該キーに対応する仮想キーコードを呼び出すことで、対応するコントロールを完了する。
【００３８】
ステップ２では、以下のステップによって初期化入力ＧＵＩとカスタム入力ＧＵＩの選択を実現する。
【００３９】
ステップ２ａ：仮想入力装置にログインしたあと、入力ＧＵＩ選択画面に進む。
【００４０】
ステップ２ｂ：入力ＧＵＩ選択画面に進んだあと、初期化入力ＧＵＩ又は現在のカスタム入力ＧＵＩを選択する。初期化入力ＧＵＩの使用を選択する場合にはステップ２ｃに進み、選択しない場合にはステップ２ｄに進む。
【００４１】
ステップ２ｃ：初期化入力ＧＵＩの使用を選択したあと、初期化入力ＧＵＩ内のキーを使用して、そのままステップ２ｈに進む。
【００４２】
ステップ２ｄ：初期化入力ＧＵＩに不満な場合、或いは、現在のカスタム入力ＧＵＩに不満な場合には、新たなカスタム入力ＧＵＩを再設定可能である。
【００４３】
ステップ２ｅ：新たなカスタム入力ＧＵＩの設定完了後は、現在の操作の放棄を選択し、そのままステップ２ｇに進んでもよい。一方、現在の設定の保存を選択する場合にはステップ２ｆに進む。
【００４４】
ステップ２ｆ：ユーザは、編集・設定済みのカスタム入力ＧＵＩに名前を付けて保存し、ステップ２ｈに進む。
【００４５】
ステップ２ｇ：仮想入力装置を終了する。
【００４６】
ステップ２ｈ：仮想入力装置を使用する。
【００４７】
また、ステップ２ｂ及びステップ２ｄにおいて、現在のカスタム入力ＧＵＩと新たなカスタム入力ＧＵＩはいずれも以下のステップで生成される。
【００４８】
仮想入力装置の編集画面で複数の所望のキーを選択する。
【００４９】
編集画面において、自身のニーズに基づき所望のキーの名称を設定するとともに、複数の所望のキーと入力ＧＵＩの表示効果とをレイアウトする。
【００５０】
編集済みの複数の所望のキーと入力ＧＵＩの表示効果とを保存することで、仮想入力装置のカスタム入力ＧＵＩを生成する。
【００５１】
また、ステップ２ｅでは、新たなカスタム入力ＧＵＩの設定完了後に、新たなカスタム入力ＧＵＩをカスタムＧＵＩサーバに送信可能である。
【００５２】
カスタム入力ＧＵＩにおいて所望のキーについて実施されるレイアウトには、入力ＧＵＩにおける所望のキーの位置、所望のキーのサイズ、所望のキーの色、及び所望のキーの形状の設定が含まれる。
【００５３】
入力ＧＵＩの表示効果について実施されるレイアウトには、入力ＧＵＩのスタイルの設定が含まれる。
【００５４】
入力ＧＵＩのスタイルには、入力ＧＵＩの色、サイズ、形状等が含まれる。
【００５５】
また、カスタム入力ＧＵＩには、物理的キーボード、物理的マウス又は物理的コントローラの少なくとも１つが含まれる。
【００５６】
物理的キーボードは、文字キー、ファンクションキー、方向キー及びテンキー等のキーのうち少なくとも１つを含む。
【００５７】
物理的マウスは、キー及び／又はスクロールホイールを含む。
【００５８】
物理的コントローラは、キー及び／又はジョイスティックを含む。
【００５９】
図４に示すように、本発明は、仮想入力装置によりＰＣをリモートコントロールするシステムを更に提供する。当該システムは、モバイル端末デバイス１と仮想入力装置２を含む。
【００６０】
モバイル端末デバイス１がＰＣ端末３にリモートログインしたあと、モバイル端末デバイス１において仮想入力装置２を起動させる。
【００６１】
仮想入力装置で初期化入力ＧＵＩ又はカスタム入力ＧＵＩを選択したあと、入力ＧＵＩ内のキーをクリックし、入力した要求に基づいて当該キーに対応する仮想キーコードを呼び出すことで、対応するコントロールを完了する。
【００６２】
仮想入力装置では、以下のステップによって初期化入力ＧＵＩとカスタム入力ＧＵＩの選択を実現する。
【００６３】
仮想入力装置にログインしたあと、入力ＧＵＩ選択画面に進む。
【００６４】
入力ＧＵＩ選択画面に進んだあと、初期化入力ＧＵＩ又は現在のカスタム入力ＧＵＩを選択する。初期化入力ＧＵＩの使用を選択する場合には、入力ＧＵＩ選択画面における初期化入力ＧＵＩ選択ボタンをクリックすることで初期化入力ＧＵＩに進む。
【００６５】
初期化入力ＧＵＩに不満な場合、或いは、現在のカスタム入力ＧＵＩに不満な場合には、新たなカスタム入力ＧＵＩを再設定可能である。
【００６６】
新たなカスタム入力ＧＵＩの設定完了後は、現在の操作の放棄を選択し、そのまま仮想入力装置を終了してもよい。
【００６７】
また、現在の設定を保存する旨を選択した場合、ユーザは編集・設定済みのカスタム入力ＧＵＩに名前を付けて保存する。保存後は、カスタム入力ＧＵＩの使用状態に進む旨をそのまま選択してもよいし、次に仮想入力装置にログインしたときに、カスタム入力ＧＵＩをそのまま使用する旨又はカスタム入力ＧＵＩを編集する旨を選択してもよい。
【００６８】
現在のカスタム入力ＧＵＩと新たなカスタム入力ＧＵＩは、いずれも以下のステップで生成される。
【００６９】
仮想入力装置の編集画面で複数の所望のキーを選択する。
【００７０】
編集画面において、自身のニーズに基づき所望のキーの名称を設定するとともに、複数の所望のキーと入力ＧＵＩの表示効果とをレイアウトする。
【００７１】
編集済みの複数の所望のキーと入力ＧＵＩの表示効果とを保存することで、仮想入力装置のカスタム入力ＧＵＩを生成する。
【００７２】
カスタム入力ＧＵＩにおいて所望のキーについて実施されるレイアウトには、入力ＧＵＩにおける所望のキーの位置、所望のキーのサイズ、所望のキーの色、及び所望のキーの形状の設定が含まれる。
【００７３】
入力ＧＵＩの表示効果について実施されるレイアウトには、入力ＧＵＩのスタイルの設定が含まれる。入力ＧＵＩのスタイルには、入力ＧＵＩの色、サイズ、形状等が含まれる。
【００７４】
また、カスタム入力ＧＵＩには、物理的キーボード、物理的マウス又は物理的コントローラの少なくとも１つが含まれる。
【００７５】
物理的キーボードは、文字キー、ファンクションキー、方向キー及びテンキー等のキーのうち少なくとも１つを含む。
【００７６】
物理的マウスは、キー及び／又はスクロールホイールを含む。
【００７７】
物理的コントローラは、キー及び／又はジョイスティックを含む。
【００７８】
本発明によれば、モバイル端末デバイスは、周辺機器のない条件でＰＣの各種アプリケーションをリモートコントロール可能となる。なお、モバイル端末デバイスには、スマートフォン、タブレットＰＣ及びその他のタッチ式スマートデバイスが含まれるがこれらに限らない。
【００７９】
本発明における仮想入力装置は、ユーザの各種ニーズを満たすために、予めセットされたソフトウェアキーボード、各種ゲームの汎用キー配列及びゲーム個別の専用キー配列からなる初期化入力ＧＵＩと、ユーザが実際のニーズに基づいて所望のキーをレイアウトして形成したカスタム入力ＧＵＩを提供可能である。
【００８０】
また、カスタムＧＵＩサーバ４を更に含み、新たなカスタム入力ＧＵＩの設定完了後に、仮想入力装置２を通じて新たなカスタム入力ＧＵＩをカスタムＧＵＩサーバ４に送信する。
【００８１】
仮想入力装置はカスタムＧＵＩサーバと情報のやりとりが可能であるため、ユーザは、自身が構築した、且つ使用効果に満足しているカスタム入力ＧＵＩを仮想入力装置を通じてカスタムＧＵＩサーバにアップロード可能である。ほかのユーザは、これを装置から直接ダウンロードして使用したり、編集操作の後に保存して使用するとともに、元のアップロード作品に「いいね」をクリックしたり、評価したり等の操作を実行可能である。
【００８２】
ユーザがカスタマイズして構築する仮想入力装置のキーには、所望のキーの内容、個数、位置（スクリーンの任意の位置へドラッグ可能であり、限定されない）、サイズ、レイアウト及びキー形式等が設定されており、更に、キーの色や風合い等をパーソナライズ設定して保存することも可能である。また、保存後に設定を修正したい場合には、元々保存していたものをベースに引き続き編集操作を行うことも可能である。
【００８３】
本発明の目的は、モバイル端末デバイスを用いてＰＣのデスクトップにリモートアクセスしたいが周辺機器を持っていないユーザを対象として開発を行うことである。これまでの従来技術では、少数のモバイル端末でカスタマイズした仮想キーボードは、例えばソーシャルチャットやネットワークアクセスといったモバイル端末のアプリにしか適用されていなかった。また、各種スマホゲームには、ゲームメーカーが自身で開発したゲーム操作装置が配備されているため、現在既知であるモバイル端末のカスタムキーボードは応用範囲が広いとはいえず、大変局限されている。これに対し、本発明では、周辺機器がない状況でＰＣ端末にリモートアクセスするための仮想キーボード（ファンクションキー、文字キー、方向キー、記号キー、テンキー等を含む）、仮想マウス、仮想コントローラを含むカスタム入力ＧＵＩをユーザに提供することで、コミュニケーション、ネットワークアクセス、ＰＣゲームにおけるアクセシビリティを実現する。また、更には、ユーザのＰＣ使用習慣や特定タスク、手触り等に基づいてカスタマイズ設定を行い、ユーザのパーソナライズニーズを満たすことが可能なため、ユーザはより容易且つ柔軟な操作が可能となる。
【００８４】
以上は本発明の好ましい実施例にすぎず、発明を説明するためのものであって、限定を意図していない。当業者であれば理解可能なように、特許請求の範囲で限定する精神及び範囲内において様々な変形や修正、ひいては等価性の実現が可能であり、これらはいずれも本発明の保護の範囲に含まれる。
【符号の説明】
【００８５】
１    モバイル端末デバイス
２    仮想入力装置
３    ＰＣ端末
４    カスタムＧＵＩサーバ
【図１】
2021517328.tif 000003
【図２】
2021517328.tif 000004
【図３】
2021517328.tif 000005
【図４】
2021517328.tif 000006
【国際調査報告】
2021517328.tif 000007
2021517328.tif 000008
2021517328.tif 000009
2021517328.tif 000010